(57)【要約】【課題】アナログレコード盤用のピックアップカートリッジにおいて、カンチレバーの振動を制御するダンパーの制動特性を容易に調整できるようにする。【解決手段】一端側にレコード盤Ｒの音みぞＧをトレースする再生針２を有し、他端側に音声信号出力用電気変換器７に作用する振動子３を一体に有するカンチレバー１を含み、カンチレバー１の他端側が振動子３とともにダンパー材４を介してカートリッジボディ５に振動可能に支持されているピックアップカートリッジにおいて、ダンパー材４として、印加電圧によって粘度が変化する電気粘性流体（ＥＲ流体）４０を用いる。【選択図】図１
2010157299.tif 000002
【特許請求の範囲】
【請求項１】
一端側にレコード盤の音みぞをトレースする再生針を有し、他端側に音声信号出力用電気変換器に作用する振動子を一体に有するカンチレバーを含み、上記カンチレバーの他端側が上記振動子とともにダンパー材を介してカートリッジボディに振動可能に支持されているピックアップカートリッジにおいて、
上記ダンパー材として、印加電圧によって粘度が変化する電気粘性流体が用いられることを特徴とするピックアップカートリッジ。
【請求項２】
上記電気粘性流体は一端面に開口部を有する有底筒状のカップ内に充填され、上記カップの開口部には弾性体よりなるガスケットリングが配置され、上記カンチレバーの他端にはサスペンションワイヤーが連結され、上記サスペンションワイヤーを上記カップ内に挿通して所定の引っ張り力をもって上記カートリッジボディに固定することにより、上記振動子が上記ガスケットリングに密着した状態で振動可能に支持され、上記サスペンションワイヤーを中心電極として、上記カップ内には筒状に形成された周辺電極が配置され、直流電源より上記中心電極と上記周辺電極との間に所定の直流電圧が印加されることを特徴とする請求項１に記載のピックアップカートリッジ。
【請求項３】
上記カップが金属製で、それ自体が上記周辺電極として用いられ、上記サスペンションワイヤーは、電気絶縁材からなる挿通部材を介して上記カップの底部から引き出されていることを特徴とする請求項２に記載のピックアップカートリッジ。
【請求項４】
上記直流電源が可変電圧源であることを特徴とする請求項２または３に記載のピックアップカートリッジ。
【発明の詳細な説明】
【技術分野】
【０００１】
本発明は、アナログレコード盤用のピックアップカートリッジに関し、さらに詳しく言えば、カンチレバーを制動するダンパーに関するものである。
【背景技術】
【０００２】
図２に示すように、アナログレコード盤用のピックアップカートリッジは、先端側にレコード盤Ｒに刻設されている音溝Ｇをトレースする再生針２を有するカンチレバー１を備える。カンチレバー１の後端側には、振動子（アーマチュア）３が一体的に取り付けられている。
【０００３】
カンチレバー１は、ダンパー材４を介してカートリッジボディ（ホルダー）５に振動可能に支持される。この例では、その支持手段としてピアノ線等からなるサスペンションワイヤー６が用いられている。
【０００４】
振動子３は、図示しない音声信号出力用電気変換器に作用する可動側素子であり、コイルが用いられる場合にはムービングコイル型となり、マグネットが用いられる場合にはムービングマグネット型となる（例えば、特許文献１参照）。
【０００５】
ダンパー材４は振動部の機械制動を司るが、ムービングコイル型，ムービングマグネット型のいずれの場合にも、ダンパー材４にはゴム材が用いられ、その弾力と機械抵抗とにより制動作用を得ている。
【０００６】
このため、ダンパーの機械制動を最適値にするには、材料の選定からはじまり、組立方法を確立するに至るまでは、多くの試作品を作成し交換し、その都度、特性を測定して良否判別を行うようにしている。
【０００７】
このようにして、最適な材料および組立方法を確立したとしても、ゴム材であるがゆえに温度係数を持つ（低温時には硬くなり、高温時には柔らかくなる）ため、使用する部屋の室温によって、制動特性が大きく変化してしまう、という問題がある。
【０００８】
また、別の問題として、ユーザーの中には、市販のピックアップカートリッジに搭載されているメーカー設定のダンパーの制動特性を変えて（調整して）、音質を自分の好みに合ったものにしたいとするユーザーもいるが、従来のピックアップカートリッジでは、その期待に応えることはほとんど不可能である。
【先行技術文献】
【特許文献】
【０００９】
【特許文献１】実開昭６１−３４６０２号公報
【発明の概要】
【発明が解決しようとする課題】
【００１０】
したがって、本発明の課題は、アナログレコード盤用のピックアップカートリッジにおいて、カンチレバーの振動を制御するダンパーの制動特性を容易に調整できるようにすることにある。
【課題を解決するための手段】
【００１１】
上記課題を解決するため、本発明は、一端側にレコード盤の音みぞをトレースする再生針を有し、他端側に音声信号出力用電気変換器に作用する振動子を一体に有するカンチレバーを含み、上記カンチレバーの他端側が上記振動子とともにダンパー材を介してカートリッジボディに振動可能に支持されているピックアップカートリッジにおいて、上記ダンパー材として、印加電圧によって粘度が変化する電気粘性流体が用いられることを特徴としている。
【００１２】
本発明の好ましい態様によれば、上記電気粘性流体は一端面に開口部を有する有底筒状のカップ内に充填され、上記カップの開口部には弾性体よりなるガスケットリングが配置され、上記カンチレバーの他端にはサスペンションワイヤーが連結され、上記サスペンションワイヤーを上記カップ内に挿通して所定の引っ張り力をもって上記カートリッジボディに固定することにより、上記振動子が上記ガスケットリングに密着した状態で振動可能に支持され、上記サスペンションワイヤーを中心電極として、上記カップ内には筒状に形成された周辺電極が配置され、直流電源より上記中心電極と上記周辺電極との間に所定の直流電圧が印加される。
【００１３】
また、別の態様として、上記カップが金属製で、それ自体が上記周辺電極として用いられ、上記サスペンションワイヤーは、電気絶縁材からなる挿通部材を介して上記カップの底部から引き出されてもよい。上記直流電源は可変電圧源であることが好ましい。
【発明の効果】
【００１４】
電気粘性流体（ＥＲ流体（Ｅｌｅｃｔｒｏ  Ｒｈｅｏｌｏｇｉｃａｌ流体）とも呼ばれる。）は、電圧無印加時には低粘度であるが、電圧印加時にはその電圧値に応じて粘度が瞬間的に増減する可逆的流体として知られている。したがって、本発明によれば、カンチレバーのダンパー材として、このような電気粘性流体を用いることにより、ダンパーの制動特性を容易に調整することができる。
【図面の簡単な説明】
【００１５】
【図１】本発明によるピックアップカートリッジの構成を模式的に示す断面図。
【図２】従来例としてのピックアップカートリッジの構成を模式的に示す断面図。
【発明を実施するための形態】
【００１６】
次に、図１により本発明の実施形態について説明するが、本発明はこれに限定されるものではない。図１は本発明の実施形態に係るピックアップカートリッジの構成を模式的に示す断面図である。
【００１７】
図１に示すように、このピックアップカートリッジも、先の図２で説明した従来例と同じく、先端側にレコード盤Ｒに刻設されている音溝Ｇをトレースする再生針２を有し、後端側に振動子３が一体に取り付けられているカンチレバー１を備えている。
【００１８】
この実施形態に係るピックアップカートリッジは、ムービングマグネット型であり、振動子３は、基台３１と、基台３１に取り付けられた永久磁石３２とを備えている。
【００１９】
この実施形態において、基台３１はカンチレバー１の後端に一体に形成された合成樹脂製の円盤体からなる。また、永久磁石３２は棒状体からなり、図１には１つしか示されていないが、ステレオカートリッジの場合、その一対３２，３２がほぼ４５度の角度を持って基台３１にＶ字状に植設される。
【００２０】
この振動子３に関連して、カートリッジボディ側には音声信号出力用の電気変換器７が設けられる。この実施形態において、電気変換器７は、永久磁石３２の先端と磁気的に結合して磁気回路を形成するヨーク７１と、ヨーク７１に巻回された発電コイル７２とを備える。
【００２１】
これによれば、再生針２とともに永久磁石３２が振動することにより、ヨーク７１に流れる磁束が変化するため、その振動に応じた電気信号が音声信号として発電コイル７２から出力される。
【００２２】
なお、ムービングコイル型の場合には、振動子３側に発電コイルが設けられ、カートリッジのボディ側に永久磁石を有する磁気回路が設けられる。本発明のピックアップカートリッジは、ムービングマグネット型、ムービングコイル型のいずれであってもよい。
【００２３】
この実施形態において、カンチレバー１の後端には、カンチレバー支持手段としてのサンペンションワイヤー６が連結されている。サンペンションワイヤー６には、ピアノ線等の金属線が用いられる。
【００２４】
カンチレバー１は、その後端側にダンパー材４を配置し、サンペンションワイヤー６に所定の引っ張り力を加えて、そのワイヤー端部をカートリッジボディ５（図２参照）に固定することにより、カートリッジボディ５に振動可能に支持される。
【００２５】
本発明では、ダンパー材４に電気粘性流体４０を用いる。電気粘性流体は、ＥＲ流体（Ｅｌｅｃｔｒｏ  Ｒｈｅｏｌｏｇｉｃａｌ流体）とも呼ばれ、電圧無印加時には低粘度であるが、電圧印加時にはその電圧値に応じて粘度が瞬間的に増減する可逆的流体である。
【００２６】
電気粘性流体には、大別して、誘電性の微粒子を絶縁油に分散させた分散系と、液晶のように電界で分子やドメインが配向し異方性を示す均一系とがあるが、本発明では、いずれも使用することができる。
【００２７】
電気粘性流体４０はカップ（容器）４１に充填した状態で適用される。カップ４１は一端面に開口部を有する有底筒状体で、その開口部側には弾性体よりなるガスケットリング４２が配置される。
【００２８】
カップ４１は、ガスケットリング４２側を振動子３と対向させ、その底部４１ａ側をカートリッジボディ５と対向させた状態で、振動子３とカートリッジボディ５との間に配置される。
【００２９】
サンペンションワイヤー６は、カップ４１内を通って底部４１ａから引き出され、所定の引っ張り力が加えられた状態でワイヤー端部がカートリッジボディ５に固定される。これにより、カンチレバー１は、振動子３がガスケットリングに密着した状態で振動可能に支持される。
【００３０】
この実施形態において、カップ４１は合成樹脂等の電気絶縁材からなり、サスペンションワイヤー６を中心電極として、カップ４１内には、筒状に形成された周辺電極４３が配置される。
【００３１】
このピックアップカートリッジは、サスペンションワイヤー６と周辺電極４３との間で電気粘性流体４０に所定の直流電圧を印加するための直流電源４５を備える。直流電源４５は可変電圧源であることが好ましい。
【００３２】
これによれば、電気粘性流体４０に印加する電圧に応じて、電気粘性流体４０の粘度が変化するため、ダンパー材４の制動抵抗を任意に調整することができる。
【００３３】
なお、上記実施形態では、カップ４１内に周辺電極４３を設けているが、別の実施形態として、カップ４１を金属製としてカップ４１自体を周辺電極とし、中心電極となるサスペンションワイヤー６を電気絶縁材からなる挿通部材を介してカップ４１の底部４１ａから引き出すこともできる。
【符号の説明】
【００３４】
１  カンチレバー
２  再生針
３  振動子
３１  基台
３２  永久磁石
４  ダンパー材
４０  電気粘性流体
４１  カップ
４２  ガスケットリング
４５  直流電源
５  カートリッジボディ
６  サスペンションワイヤー
７  音声信号出力用電気変換器
７１  ヨーク
７２  発電コイル
【図１】
2010157299.tif 000003
【図２】
2010157299.tif 000004